【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
サンプルのレーザ支援質量分析データを表示するための方法であって、
レーザ加工システムを用いて、前記サンプルに対してレーザビームをビーム軌道に沿って走査し、前記走査中は前記サンプルがサンプルチャンバ内に位置し、前記レーザビームにより前記ビーム軌道に沿って前記サンプルから材料を解離させて前記サンプルチャンバ内に前記解離された材料のエアロゾルを生成し、
前記サンプルチャンバに流体を通して、前記ビーム軌道に沿って選択された元素の質量分析データ値を決定するための分光計に前記解離された材料を移送し、
プロセッサを用いて、前記質量分析データ値を前記ビーム軌道に沿った前記サンプルのそれぞれの位置に関連付け、
前記レーザビームが前記ビーム軌道に沿って前記サンプルから前記材料を解離させ続けているときに、表示装置上に、前記レーザビームによって材料が解離された前記ビーム軌道に沿ったそれぞれの位置を含む、前記サンプルの少なくとも一部の画像をリアルタイムで表示し、前記画像は、関連付けられた位置での前記サンプル上に直接表示された前記質量分析データ値の指標である、
方法。
【請求項２】
前記質量分析データ値を前記ビーム軌道に沿った前記サンプルのそれぞれの位置に関連付ける際に、
最初に前記レーザビームを前記サンプルに照射した時から前記分光計が前記選択された元素についての対応する質量分析データ値を計算する時点までの遅延時間を予測し、
既知の開始時間に対応する前記サンプルの第１の位置から第２の位置まで前記ビーム軌道に沿って前記レーザビームを走査する加工時間を決定し、
前記加工時間、前記開始時間、及び前記遅延時間を用いて、前記分光計により決定された前記質量分析データ値の１つを前記ビーム軌道に沿った前記サンプルの前記第２の位置に関連付ける、
請求項１の方法。
【請求項３】
前記指標は複数の色彩であり、それぞれの色彩は質量分析データ値のそれぞれの範囲に関連付けられている、請求項１の方法。
【請求項４】
前記指標は、塗りつぶしパターン、色彩、陰影、色相、明るさ、テキスト、及び記号を含む群から選択される１以上のグラフィック要素における変化である、請求項１の方法。
【請求項５】
さらに、
前記レーザビームを使用して、前記質量分析データ値の前記指標をその関連付けられた位置に合わせるために前記サンプルに１以上の基準マークを追加する、
請求項１の方法。
【請求項６】
さらに、
前記質量分析データ値の前記指標を前記サンプルの画像に合わせるために前記画像に１以上の基準マークを追加する、
請求項１の方法。
【請求項７】
さらに、
前記サンプルの前記画像を複合画像の第１のレイヤとして表示し、
前記関連付けられた位置に前記質量分析データ値の前記指標を前記複合画像の第１のレイヤ上に重ねられた第２のレイヤとして表示する、
請求項１の方法。
【請求項８】
さらに、
グラフィカルユーザインタフェイスを介してユーザが前記第１のレイヤ及び前記第２のレイヤを選択的に表示できるようにする、
請求項７の方法。
【請求項９】
さらに、
グラフィカルユーザインタフェイスを介してユーザが前記サンプルチャンバの画像、前記サンプルの隣接部に対応する画像の寄せ集めであるサンプルマップ、前記サンプルの顕微鏡画像、及びユーザの注釈を含む群から選択される１以上の第３のレイヤを選択的に表示できるようにする、
請求項８の方法。
【請求項１０】
さらに、
岩石顕微鏡及び走査電子顕微鏡を含む群から選択される顕微鏡を用いて前記顕微鏡画像を生成する、
請求項９の方法。
【請求項１１】
前記質量分析データ値は、元素の濃度、元素比率、異方性率、カウント数、毎秒のカウント数、電圧値、周波数値、及び波長値を含む群から選択される、請求項１の方法。
【請求項１２】
レーザ支援質量分析システムであって、
サンプルを保持するためのサンプルチャンバと、
レーザビームを生成するためのレーザ源と、
前記サンプルに対して前記レーザビームをビーム軌道に沿って走査するための走査サブシステムと、を備え、前記レーザビームは、前記ビーム軌道に沿って前記サンプルから材料を解離して前記サンプルチャンバ内に前記解離した材料のエアロゾルを生成し、前記サンプルチャンバを通過する流体が、前記ビーム軌道に沿って選択された元素の質量分析データ値を決定するための分光計に前記解離された材料を移送し、
前記走査サブシステムを制御し、前記質量分析データ値を前記ビーム軌道に沿った前記サンプルのそれぞれの位置に関連付けるためのプロセッサと、
前記レーザビームが前記ビーム軌道に沿って前記サンプルから前記材料を解離させ続けているときに、前記レーザビームによって前記材料が解離された前記ビーム軌道に沿った前記それぞれの位置を含む前記サンプルの少なくとも一部の画像をリアルタイムで表示するための表示装置と、を備え、前記画像は、その関連付けられた位置での前記サンプル上に直接表示された前記質量分析データ値の指標である、
システム。
【請求項１３】
前記走査サブシステムは、前記プロセッサにより制御される１以上のビームステアリング光学系を有する、請求項１２のシステム。
【請求項１４】
前記走査サブシステムは、前記プロセッサにより制御される１以上の運動ステージを有する、請求項１２のシステム。
【請求項１５】
前記プロセッサは、
最初に前記レーザビームを前記サンプルに照射した時から前記分光計が前記選択された元素についての対応する質量分析データ値を計算する時点までの遅延時間を予測し、
既知の開始時間に対応する前記サンプルの第１の位置から第２の位置まで前記ビーム軌道に沿って前記レーザビームを走査する加工時間を決定し、
前記加工時間、前記開始時間、及び前記遅延時間を用いて、前記分光計により決定された前記質量分析データ値の１つを前記ビーム軌道に沿った前記サンプルの前記第２の位置に関連付ける、
ことによって前記質量分析データ値を前記ビーム軌道に沿った前記サンプルのそれぞれの位置に関連付ける、
請求項１２のシステム。
【請求項１６】
前記指標は複数の色彩であり、それぞれの色彩は質量分析データ値のそれぞれの範囲に関連付けられている、請求項１２のシステム。
【請求項１７】
前記指標は、塗りつぶしパターン、色彩、陰影、色相、明るさ、テキスト、及び記号を含む群から選択される１以上のグラフィック要素における変化である、請求項１２のシステム。
【請求項１８】
前記プロセッサは、さらに、前記レーザ源及び前記走査サブシステムを制御して、前記質量分析データ値の前記指標をその関連付けられた位置に合わせるために前記サンプルに１以上の基準マークを追加するように構成されている、請求項１２のシステム。
【請求項１９】
前記プロセッサは、さらに、前記質量分析データ値の前記指標を前記サンプルの画像に合わせるために前記画像に１以上の基準マークを追加するように構成されている、請求項１２のシステム。
【請求項２０】
前記プロセッサは、さらに、
前記表示装置に前記サンプルの前記画像を複合画像の第１のレイヤとして表示し、
前記表示装置の前記関連付けられた位置に前記質量分析データ値の前記指標を前記複合画像の第１のレイヤ上に重ねられた第２のレイヤとして表示する
ように構成されている、請求項１２のシステム。
【請求項２１】
前記プロセッサは、さらに、
グラフィカルユーザインタフェイスを介してユーザが前記第１のレイヤ及び前記第２のレイヤを選択的に表示できる
ように構成されている、請求項２０のシステム。
【請求項２２】
前記プロセッサは、さらに、
グラフィカルユーザインタフェイスを介してユーザが前記サンプルチャンバの画像、前記サンプルの隣接部に対応する画像の寄せ集めであるサンプルマップ、前記サンプルの顕微鏡画像、及びユーザの注釈を含む群から選択される１以上の第３のレイヤを選択的に表示できる
ように構成されている、請求項２１のシステム。
【請求項２３】
前記顕微鏡画像を生成する顕微鏡であって、岩石顕微鏡及び走査電子顕微鏡を含む群から選択される顕微鏡
をさらに備える、請求項２２のシステム。
【請求項２４】
前記質量分析データ値は、元素の濃度、元素比率、異方性率、カウント数、毎秒のカウント数、電圧値、周波数値、及び波長値を含む群から選択される、請求項１２のシステム。
【請求項２５】
レーザ支援質量分析システムであって、
サンプルに対してビーム軌道に沿ってレーザビームを走査するための手段を備え、前記走査中に前記サンプルはサンプルチャンバ内に配置され、前記レーザビームは、前記ビーム軌道に沿って前記サンプルから材料を解離して前記サンプルチャンバ内に前記解離した材料のエアロゾルを生成し、
前記サンプルチャンバに流体を通過させて、前記ビーム軌道に沿って選択された元素の質量分析データ値を決定するための分光計に前記解離された材料を移送するための手段と、
前記質量分析データ値を前記ビーム軌道に沿った前記サンプルのそれぞれの位置に関連付けるための手段と、
質量分析データを決定し続けるとともに、前記レーザビームによって前記材料が解離された前記ビーム軌道に沿った前記それぞれの位置を含む前記サンプルの少なくとも一部の画像を表示するための手段と、を備え、前記画像は、その関連付けられた位置での前記サンプル上に直接表示された前記質量分析データ値の指標である、
システム。
【請求項２６】
サンプルのレーザ支援質量分析データを表示するための方法であって、
レーザ加工システムを用いて、前記サンプルに対してビーム軌道に沿ってレーザビームを走査し、
１以上の分光計を用いて、前記ビーム軌道に沿って質量分析データ値を生成し、
プロセッサを用いて、前記質量分析データ値を前記ビーム軌道に沿った前記サンプルのそれぞれの位置に関連付け、
表示装置に、質量分析データ値を生成し続けるとともに、前記ビーム軌道に沿った前記それぞれの位置を含む前記サンプルの少なくとも一部の画像を表示し、前記画像は、その関連付けられた位置での前記サンプル上に直接表示された前記質量分析データ値の指標である、
方法。
【請求項２７】
前記方法がレーザ誘起ブレークダウン分光法（ＬＩＢＳ）であり、前記質量分析データ値が波長値を含む、請求項２６の方法。
【請求項２８】
前記ビーム軌道に沿って前記レーザビームを走査することにより前記サンプルからの発光が促され、この発された光は、前記レーザビームにより照射されたそれぞれの元素の特性である１以上の波長を有し、前記分光計データ値を生成する際に、前記発された光を前記１以上の分光計に照射し、１以上の波長値を決定する、請求項２７の方法。
【請求項２９】
前記走査中は前記サンプルがサンプルチャンバ内に位置し、前記レーザビームにより前記ビーム軌道に沿って前記サンプルから材料を解離させて前記サンプルチャンバ内に前記解離された材料のエアロゾルを生成し、前記質量分析データ値を生成する際に、前記サンプルチャンバに流体を通して、前記ビーム軌道に沿って選択された元素の質量分析データ値を決定するための分光計に前記解離された材料を移送する、請求項２６の方法。
【手続補正２】
【補正対象書類名】明細書
【補正対象項目名】００２６
【補正方法】変更
【補正の内容】
【００２６】
分光データに加えて、他のデータをサンプル画像とともに、あるいはサンプル画像に重ねて表示してもよい。例えば、図７は、ユーザの注釈と一実施形態において関連付けられた分光データの指標とともに、サンプル７００の２つの複合画像７１０，７１２を示すものである。図３に示される表示装置３２４上に２つの複合画像７１０，７１２を分離して表示してもよいし、あるいは一緒に（例えば並べて）表示してもよい。
【手続補正３】
【補正対象書類名】明細書
【補正対象項目名】００３７
【補正方法】変更
【補正の内容】
【００３７】
レイヤリスト１０１６により、ユーザは、サンプルの隣接部に対応する画像の寄せ集めである１以上のサンプルマップの表示を選択（又はサンプルの隣接する画像に対応する画像の寄せ集めであるサンプルマップを表示する）することも可能となる。サンプルマップは、サンプルチャンバ内にサンプルを配置しつつ、（例えば、図３に示されるカメラ３２２のような）１以上のカメラシステムを使って生成することができる。図１０に示されるように、ユーザは、広角サンプルマップ及び／又は高倍率サンプルマップを表示することを選択することができる。ある実施形態においては、このレイヤ内に含めて表示することができるサンプルマップの数には制限がない（例えば、説明の便宜上、それぞれのタイプのサンプルマップに対して「マップ１」と「マップ２」の双方が表示されている）。この例では、ユーザは、インポートされたサンプルインサート１０１８の区画１０２２ｄにおいて（「マップ２」に対応する）広角サンプルマップ１０２８を表示するように選択している。